(57)【要約】【課題】どのような帽子にも使用可能で、簡単容易に取り付けることができる上に、遮光及び断熱効果が得られ、体裁・見栄えが良好な帽子用日除け具を提供する。【解決手段】周方向に伸縮自在で、帽子４の冠部４ａに取り付けられる環状のカバー取付用バンド２と、反射性及び遮光性を有するシート材によって形成され、上端部がカバー取付用バンド２に取り外し可能に取り付けられて、着用者５の首筋後部から側面部を被うように垂下される日除けカバー３とからなる。【選択図】図１
0003146577.tif 000002
【実用新案登録請求の範囲】
【請求項１】
周方向に伸縮自在で、帽子の冠部に嵌め込んで取り付けられる環状のカバー取付用バンドと、反射性及び遮光性を有するシート材によって形成され、上端部がカバー取付用バンドに取り外し可能に取り付けられて、着用者の首筋後部から側面部を被うように垂下される日除けカバーとからなる帽子用日除け具。
【請求項２】
日除けカバーは、銀面化された樹脂シートからなるカバー本体と、カバー本体に裏張りされた布材からなる裏地との二重構造で、カバー本体の上端部には、前記裏地を延長して表側へ折り返すことにより形成したカバー本体取付部を付設してなる請求項１に記載の帽子用日除け具。
【請求項３】
カバー本体には銀面化された樹脂シートの裏面に断熱シートを貼着してなる請求項２に記載の帽子用日除け具。
【請求項４】
カバー取付用バンドは、周方向長さの半分より少し長い前半部の非伸縮性バンド部と、これに接続された後半部の伸縮性バンド部とからなるもので、非伸縮性バンド部の外側面両端部に日除けカバー上端部の内側面両端部を取り外し可能に取り付け、伸縮性バンド部の長さ方向中央部に日除けカバー上端側の長さ方向中央部を取り外し可能に取り付けてなる請求項１〜３の何れかに記載の帽子用日除け具。
【考案の詳細な説明】
【技術分野】
【０００１】
本考案は、農作業や工事現場などでの野外作業、更にはスポーツやレジャーにおいて、着用者が被る各種帽子の冠部に取り付けて使用される帽子用日除け具に関する。
【背景技術】
【０００２】
従来より、農作業や土木工事現場などの野外作業における直射日光、太陽熱による日焼け防止及び防暑対策として各種作業用帽子を着用すると共に、それらの作業帽子には後部にタオルなどを日除けとして、安全ピンなどで取り付けて垂下させることにより、帽子を被った時に首筋後部や顔面側部への直射日光を遮って日焼けを防止し、太陽熱から肌身を守ることが行われている。
【考案の開示】
【考案が解決しようとする課題】
【０００３】
上記のように帽子の着用時にタオルなどを日除けとして帽子の後部側に取り付ける場合には、帽子の所要箇所に対する取付け、取り外しに手間がかかる上に、タオルなどでは十分な遮光効果が得られず、体裁・見栄えも悪い。
【０００４】
本考案は、どのような帽子にも使用可能で、簡単容易に取り付けることができる上に、十分な遮光及び断熱効果が得られ、体裁・見栄えが良好な帽子用日除け具を提供することを目的とする。
【課題を解決するための手段】
【０００５】
上記課題を解決するための手段を、後述する実施形態の参照番号を付して説明すると、請求項１に係る考案の帽子用日除け具は、周方向に伸縮自在で、帽子４の冠部４ａに嵌め込んで取り付けられる環状のカバー取付用バンド２と、反射性及び遮光性を有するシート材によって形成され、上端部がカバー取付用バンド２に取り外し可能に取り付けられて、着用者５の首筋後部から側面部を被うように垂下される日除けカバー３とからなることを特徴とする。
【０００６】
請求項２は、請求項１に記載の帽子用日除け具において、日除けカバー３は、銀面化された樹脂シート１３からなるカバー本体９と、カバー本体９に裏張りされた布材からなる裏地１０との二重構造で、カバー本体９の上端部には、前記裏地１０を延長して表側へ折り返すことにより形成したカバー本体取付部１１を付設してなることを特徴とする。
【０００７】
請求項３は、請求項２に記載の帽子用日除け具において、カバー本体９には銀面化された樹脂シート１３の裏面に断熱シート１０を貼着してなることを特徴とする。
【０００８】
請求項４は、請求項１〜３の何れかに記載の帽子用日除け具において、カバー取付用バンド２は、周方向長さの半分より少し長い前半部の非伸縮性バンド部６と、これに接続された後半部の伸縮性バンド部７とからなるもので、非伸縮性バンド部６の外側面両端部に日除けカバー３上端部側の内側面両端部を取り外し可能に取り付け、伸縮性バンド部７の長さ方向中央部に日除けカバー上端側の長さ方向中央部を取り外し可能に取り付けてなることを特徴とする。
【考案の効果】
【０００９】
上記解決手段による考案の効果を、後述する実施形態の参照番号を付して説明すると、請求項１に係る考案の帽子用日除け具１によれば、農作業や工事現場などでの野外作業、さらにはスポーツやレジャーにおいて、着用者５が被った帽子４の冠部４ａにカバー取付用バンド２を嵌め込むだけで、カバー取付用バンド２を帽子４に簡単に取付け固定でき、着用者５の首筋後部から側面部を被う日除けカバー３によって、夏場には直射日光を反射して日焼けを防止し、太陽熱を遮蔽し、照り返しを防ぎ、また冬場には首もとへの寒風の吹き込みを防ぐ風除けとして機能させることができ、そして不要時には簡単に取り外すことができる。
【００１０】
請求項２に係る考案の帽子用日除け具１によれば、日除けカバー３は、銀面化された樹脂シート１３からなるカバー本体９と、カバー本体９に裏張りされた布材からなる裏地１０との二重構造であるから、反射性及び遮光性に優れて、夏場の厳しい直射日光を有効に反射し、太陽熱を有効に遮蔽することができ、そしてカバー本体９には布材からなる裏地１０が裏張りされているため、日除けカバー３の裏側が着用者５の肌身に直接触れても、肌触りが良く、不快感や違和感を与えるようなことがない。
【００１１】
またカバー本体９の上端部には裏地１０を延長して表側へ折り返すことにより形成したカバー本体取付部１１が付設してあって、このカバー本体取付部１１をカバー取付用バンド２に取り付けるようにしているから、カバー取付用バンド２へのカバー本体９の取り付けが容易となる。
【００１２】
請求項３に係る考案によれば、銀面化された樹脂シート１３の裏面に断熱シート１０が貼着してあるため、その断熱効果によって太陽熱をより有効に遮断することができる。
【００１３】
請求項４に係る考案によれば、カバー本体取付部１１が布地で形成されていると共に、非伸縮性バンド部６の外側面両端部にカバー本体取付部１１の内側面両端部を夫々係止布８，１６によって着脱可能に取り付け且つ伸縮性バンド部７の長さ方向中央部にカバー本体取付部１１の長さ方向中央部を糸１７で縫い付けているから、伸縮性バンド部７の伸縮を阻害することなくその伸縮機能を有効に発揮させて、カバー本体取付部１１を帽子４の冠部４ａに的確に取り付けでき、またカバー本体取付部１１の上端縁部とカバー取付用バンド２の伸縮性バンド部７との間に空気の流通が容易な隙間Ｓが形成され、これにより日除け具１の着用時に日除けカバー３の内外に空気が流通可能となって、着用者５の首部周辺が蒸れるようなことがなく、着心地が良好となる。
【００１４】
以下に本考案の好適な実施形態について図面を参照しながら説明すると、図１は本考案に係る帽子用日除け具の使用状態を示す側面図であり、図２の(a) は同使用状態の平面図、(b) はその背面図であり、図３は同帽子用日除け具を示す斜視図であり、図４の(a) は同帽子用日除け具のカバー取付用バンドを示す斜視図、(b) は日除けカバーを示す斜視図である。
【００１５】
これらの図において、１は帽子用日除け具を示し、この帽子用日除け具１は、周方向に伸縮自在で、着用者が被るヘルメット（帽子）４の冠部４ａに嵌め込んで取り付けられる環状のカバー取付用バンド２（図４の(a) 参照）と、反射性及び遮光性を有するシート材によって形成され、上端部２ａがカバー取付用バンド２に取り外し可能に取り付けられて、着用者５の首筋後部から側面部を被うように垂下される日除けカバー３（図４の(b) 参照）とから構成される。なお、図１及び図２において、４ｂはヘルメット４の冠部４ａの周鍔部を示す。
【００１６】
この日除け具１の構造について更に詳しく説明すれば、カバー取付用バンド２は、図４の(a) に示すように、周方向長さの半分よりも少し長い前半部の非伸縮性バンド部６と、この非伸縮性バンド部６に端部どうしを互いに縫い合わせて一体的に接続された後半部の伸縮性バンド部７とにより、着用者５が被るヘルメット（帽子）４の冠部４ａに嵌め込んで取り付け固定させることができる大きさの環状に形成され、そして非伸縮性バンド部６は厚手の帯状布地からなり、伸縮性バンド部７は厚手の帯状ゴム紐からなる。また図４の(a) に示すように、非伸縮性バンド部６の外周面両端部には、夫々マジックテープ（登録商標）からなる係止布８，８が縫い付けられている。
【００１７】
日除けカバー３は、図５の(a) に示すように、銀面化した樹脂シートからなるカバー本体９と、このカバー本体９に裏張りされた布材からなる裏地１０との二重構造からなるもので、カバー本体９の上端部には、前記裏地１０を延長して表側へ折り返し、その下端縁部１１ａをカバー本体９の上端縁部９ａ及び裏地１０と共に縫い合わせる（その縫い糸を１２で示す）ことによって形成した布材のみからなる帯状のカバー本体取付部１１が付設されている。裏地１０は、綿織物又は化繊織物の柔らかい生地によって形成される。
【００１８】
カバー本体９は、図５の(b) に示すように、表面にアルミニウム等の金属を蒸着することにより銀面化して反射性及び遮光性を有するポリエステル等の合成樹脂シート１３と、この銀面化された合成樹脂シート１３の裏面側に貼着された発泡ポリエチレンからなる断熱シート１４とによって構成される。なお、合成樹脂シート１３の表面を銀面化して反射性及び遮光性をもたせるには、アルミニウム等の金属蒸着の他に、アルミニウム等の金属箔をラミネートするようにしてもよい。
【００１９】
また日除けカバー３は、上記のようにして銀面化された樹脂シート１３の裏面側に発泡ポリエチレンの断熱シート１４を貼着してなるカバー本体９と、このカバー本体９に裏張りされた布材からなる裏地１０との二重構造からなると共に、これらカバー本体９と裏地１０の周縁部には、図４の(b) 及び図５に示すように、カバー本体取付部１１が形成された上端縁部を除いて、縁布１５が周縁部を被うように縫着されている。
【００２０】
また、日除けカバー３の上端側帯状シート取付部１１には裏面側両端部に、前記カバー取付用バンド２の非伸縮性バンド部６の外周面両端部に取り付けてある係止布８，８に対して互いに係止可能な係止布１６，１６が縫着されている。
【００２１】
上記のように構成される帽子用日除け具１の使用にあたって、日除けカバー３をカバー取付用バンド２に取り付けて図３に示すような状態とする。即ち、日除けカバー３の上端部側にあるカバー本体取付部１１の上端縁の長さ方向中央部を、カバー取付用バンド２の伸縮性バンド部７の長さ方向中間部に糸１７で簡易に縫い付けた後、カバー本体取付部１１の裏面側両端部に取り付けられた係止布１６，１６を、カバー取付用バンド２の非伸縮性バンド部６の両端部に取り付けてある係止布８，８に密着させて係止固定する。この場合、カバー本体取付部１１が比較的柔らかい生地からなると共に、非伸縮性バンド部６の外側面両端部にカバー本体取付部１１の内側面両端部を夫々係止布８，１６で取り付け且つ伸縮性バンド部７の長さ方向中央部にカバー本体取付部１１の長さ方向中央部を糸１７で縫い付けていることにより、カバー本体取付部１１の上端縁部と、カバー取付用バンド２の伸縮性バンド部７との間に空気の流通が容易な隙間Ｓが波形状に形成される。
【００２２】
こうして日除けカバー３をカバー取付用バンド２に取り付けて図３に示すような形とした日除け具１は、カバー取付用バンド２を、着用者５が被ったヘルメット（帽子）４の冠部４ａに嵌め込むだけで簡単容易に取り付けることができて、図１に示すような使用可能な状態となる。この場合、着用者５は、先にヘルメット４の冠部４ａに日除けカバー３のカバー取付用バンド２を取り付けてから、そのヘルメット４を被ってもよい。
【００２３】
上記のように、この帽子用日除け具１は、農作業や工事現場などでの野外作業、更にはスポーツやレジャーにおいて、着用者５が被ったヘルメット４の冠部４ａにカバー取付用バンド２を嵌め込むだけで、冠部４ａにカバー取付用バンド２を簡単容易に固定できて、着用者５の首筋後部から側面部を被う日除けカバー３により、夏場には直射日光を反射して日焼けを防止し、太陽熱を遮蔽し、照り返しを防ぎ、また冬場には寒風の首もとへの吹き込みを防ぐ風除けとして機能することができ、そして不要時には簡単に取り外すことができる。
【００２４】
なお、この実施形態では、帽子としてヘルメット４のみを例示しているが、ヘルメット４に限らず、野球帽や作業用帽子など、どのような帽子にも使用可能である。但し、冠部（クラウン）の下端縁後部側に鍔部が広く突出するようなものは、好ましくない。
【００２５】
また、この帽子用日除け具１では、日除けカバー３は、銀面化された樹脂シート１３からなるカバー本体９と、カバー本体９に裏張りされた布材からなる裏地１０との二重構造であるから、反射性及び遮光性に優れて、夏場の厳しい直射日光を有効に反射し、太陽熱を有効に遮蔽することができ、そしてカバー本体９には布材からなる裏地１０が裏張りされているので、日除けカバー３の裏側が着用者５の肌身に直接触れても、肌触りが良く、不快感や違和感を与えるようなことがない。
【００２６】
またカバー本体９の上端部には裏地１０を延長して表側へ折り返すことにより形成したカバー本体取付部１１が付設してあって、このカバー本体取付部１１をカバー取付用バンド２に取り付けるようにしているから、カバー取付用バンド２へのカバー本体９の取り付けが容易となる。因みに、銀面化された樹脂シート１３からなるカバー本体９と裏張りされた布材からなる裏地１０との二重構造の上端部をカバー取付用バンド２に直接取り付けるようにすると、その二重構造部分が厚くて比較的硬いために、取付け作業に困難を伴う上に、取付部が不格好になり易い。
【００２７】
またカバー本体９には、銀面化された樹脂シート１３の裏面に断熱シート１０が貼着してあるため、その断熱効果によって太陽熱をより有効に遮断することができる。
【００２８】
また、カバー本体取付部１１が比較的柔らかい布地で形成されていると共に、非伸縮性バンド部６の外側面両端部にカバー本体取付部１１の内側面両端部を夫々係止布８，１６によって取り付け且つ伸縮性バンド部７の長さ方向中央部にカバー本体取付部１１の長さ方向中央部を糸１７で縫い付けているから、伸縮性バンド部７の伸縮を阻害することなくその伸縮機能を有効に発揮させて、カバー本体取付部１１を帽子４の冠部４ａに的確に取り付けできる。また、カバー本体取付部１１の上端縁部とカバー取付用バンド２の伸縮性バンド部７との間に空気の流通が容易な隙間Ｓが形成されるから、日除け具１の着用時には当該隙間Ｓを通じて日除けカバー３の内外に空気が流通可能となって、着用者５の首部周辺が蒸れるようなことがなく、着心地を悪くするようなことがない。
【００２９】
そして、日除けカバー３のカバー本体９やカバー本体取付部１１が汚れた場合は、カバー本体取付部１１の中央部を伸縮性バンド部７の中央部に縫い付けている糸１７を鋏等でカットし、カバー本体取付部１１の両端部を非伸縮性バンド部６の外側面両端部に係止している係止布８，１６を引き剥がすことによって、日除けカバー３をカバー取付用バンド２から簡単に取り外すことができ、日除けカバー３のみを洗濯することができる。
【図面の簡単な説明】
【００３０】
【図１】本考案に係る帽子用日除け具の使用状態を示す側面図である。
【図２】(a) は同使用状態の平面図、(b) はその背面図である。
【図３】同帽子用日除け具を示す斜視図である。
【図４】(a) は同帽子用日除け具のカバー取付用バンドを示す斜視図、(b) は日除けカバーを示す斜視図である。
【図５】(a) は日除けカバーの縦断面図、(b) は(a) の矢印Ｘで示す部分の拡大図である。
【符号の説明】
【００３１】
１            帽子用日除け具
２            カバー取付用バンド
３            日除けカバー
４            ヘルメット（帽子）
４ａ          冠部
５            着用者
６            非伸縮性バンド部
７            伸縮性バンド部
８            係止布
９            カバー本体
１０          裏地
１１          カバー本体取付部
１３          樹脂シート
１４          断熱シート
１６          係止布
【図１】
0003146577.tif 000003
【図２】
0003146577.tif 000004
【図３】
0003146577.tif 000005
【図４】
0003146577.tif 000006
【図５】
0003146577.tif 000007